(57)【特許請求の範囲】
【請求項１】
測定管に設けられた筒状の係止板と、
前記測定管の内径面に設けられこの係止板により係止されるライニング体と
を具備する電磁流量計において、
前記係止板の管軸方向に長く設けられた複数の切欠部と、
この切欠部を有する前記係止板として、リング状の支持部とこの支持部に一端が取付けられ前記測定管の管軸方向に配置された複数の棒状体とで構成されたこと
を特徴とする電磁流量計。
【請求項２】
前記係止板の前記切欠部の開口部分に設けられこの開口部分が半径方向に撓まないように設けられたリング状の固定体
を具備したことを特徴とする請求項１記載の電磁流量計。
【請求項３】
前記係止板が前記測定管の半径方向へ撓まない様に前記測定管の管軸方向の途中に少なくとも１個設けられたリング状の中間体
を具備したことを特徴とする請求項１又は請求項２記載の電磁流量計。
【発明の詳細な説明】
【０００１】
【発明の属する技術分野】
本発明は、地球環境にやさしく、且つ安価な電磁流量計に関するものである。
【０００２】
【従来の技術】
図９は、従来より一般に使用されている従来例の構成説明図で、図の上側半分が断面で示されている。
図１０は図９の部品詳細説明図、図１１は図９の側面図である。
【０００３】
図９は、測定管１にライニングが施されたものである。
電磁流量計は、使用条件（流体温度、圧力等）により、ライニング内径寸法等が変形することがあり、それが測定精度に悪影響を与えることがある。
【０００４】
そのため、ライニング体２の変形を防ぐためにライニング体２の内部にそれを係止する係止板３が設けられている。
その係止板３の詳細を図１０に示す。
【０００５】
図１０において、筒状の係止板３に穴４が複数個設けられている。ライニング体２はその穴４の中にも施されるため、穴４で固定され、上述のような変形を防止することができる。
【０００６】
【発明が解決しようとする課題】
しかしながら、このような装置においては、以下の問題点がある。
ライニング体２は、ライニング体２が摩耗したり、測定流体の浸透により劣化した場合、新しいライニング材料で再ライニングする。
【０００７】
この場合、再ライニング前に摩耗、劣化したライニング体２を測定管１から取り除く。
また、電磁流量計を故障等により廃棄する場合、材料毎に分別廃棄するために、測定管１からライニング体２を外し、さらに、ライニング体２と係止板３とを分別する必要がある。
【０００８】
このような場合に、係止板３とライニング体２の分別処理（廃棄等）を行う際に、時間と手間がかかるばかりか、完全に分別できないことがある。
すなわち、ライニング体２と係止板３とを、共に測定管１から旋盤等の機械加工で取り外す。
【０００９】
次に、取り外したライニング体２と係止板３とは、係止板３の穴４にライニング体２が入っていて、両者は互いに結合しあっているので、手作業を中心に丁寧に分別していく。  ただし、それが不可能な個所は混在状態で廃棄等とせざるを得ない。
【００１０】
本発明の目的は、上記の課題を解決するもので、地球環境にやさしく、且つ安価な電磁流量計を提供することにある。
【００１１】
【課題を解決するための手段】
このような目的を達成するために、本発明では、請求項１の電磁流量計においては、
測定管に設けられた筒状の係止板と、前記測定管の内径面に設けられこの係止板により係止されるライニング体とを具備する電磁流量計において、前記係止板の管軸方向に長く設けられた複数の切欠部と、この切欠部を有する前記係止板として、リング状の支持部とこの支持部に一端が取付けられ前記測定管の管軸方向に配置された複数の棒状体とで構成されたことを特徴とする電磁流量計。
【００１２】
本発明の請求項２においては、請求項１記載の電磁流量計において、
前記係止板の前記切欠部の開口部分に設けられこの開口部分が半径方向に撓まないように設けられたリング状の固定体を具備したことを特徴とする。
【００１３】
本発明の請求項３においては、請求項１又は請求項２記載の電磁流量計において、
前記係止板が前記測定管の半径方向へ撓まない様に前記測定管の管軸方向の途中に少なくとも1個設けられたリング状の中間体を具備したことを特徴とする。
【００１４】
【発明の実施の形態】
以下図面を用いて本発明を詳しく説明する。図１は本発明の一実施例の要部構成説明図で、図の上側半分が断面で示されている。
図２は図１の部品説明図で、図の上側半分が断面で示され、図３は図２の側面図である。
【００１５】
図４は図１の部品説明図で、図の上側半分が断面で示され、図５は図４の側面図である。
図において、図９と同一記号の構成は同一機能を表す。
以下、図９と相違部分のみ説明する。
【００１６】
本実施例においては、切欠部３２を有する係止板３１が、リング状の支持部３３とこの支持部３３に一端が取付けられ、測定管１の管軸方向に配置された複数の棒状体３４とで構成されている。
【００１７】
係止は複数個の棒状体３４ がライニング体２の中に配置されることで行われ、その棒状体３４は支持部３３ で固定される。
なお、棒状体３４の断面形状として円形、楕円形、多角形などがある。
【００１８】
また、この場合は、図１に示す如く、固定体４１は、棒状体３４の他端側に設けられ、この棒状体３４の他端側が半径方向に撓まないように設けられ、リング状をなす。
固定体４１の詳細図は、図４、図５に示す。
【００１９】
以上の構成において、ライニング体２の係止は、切欠部３２にライニング体２が施されることにより、固定される。
なお、係止板３１の切欠部３２の開口部分は自由端となり、ライニング係止機能が低下する。
【００２０】
このために、図１に示す如く、リング状で係止板３１の自由端を挿入できる穴４２が設けられた固定体４１を、測定管１に溶接等で固定して、係止板３１の自由端を測定管１の半径方向に対して固定する。
【００２１】
次に、本発明による、測定管１からのライニング体２と係止板３１の取り除き、または、分別は、たとえば、次のように行える。
旋盤等でライニング体２を削り除き、係止板３１の切欠部３２の根元を露出させる。
【００２２】
係止板３１の切欠部３２等を利用し、係止板３１を測定管１の軸方向に引っ張り、係止板３１を取り外す。
残りのライニング体２を旋盤等で削り除く。
【００２３】
この結果、
測定管１からライニング体２と係止板３１を取り除き、また、両者を分別するには、上述の工程の通りのため、手作業等の手間はなく、容易に実施できる。
【００２４】
すなわち、係止板３１は、管軸方向に設けられた切欠部３２を介してライニング体２を係止するようにしたので、ライニング体２を測定管１から取り外す際、ライニング体２と係止板３１の分別を容易に出来る。
従って、地球環境にやさしく、且つ安価な電磁流量計が得られる。
【００２５】
これにより、ライニング体内径の変化を抑えられるため、測定誤差を防止できる電磁流量計が得られる。
【００２６】
開口部分が半径方向にたわまないように設けられたリング状の固定体４１が設けられたので、切欠部３２が設けられたことによる、係止板３１の撓みの発生を、防止することが出来る電磁流量計が得られる。
【００２７】
係止板３１として、リング状の支持部３３と、この支持部３３に一端が取付けられ測定管１の管軸方向に配置された複数の棒状体３４とで構成されたので、作り易く、安価な電磁流量計が得られる。
【００２８】
図６は本発明の他の実施例の要部構成説明図で、図の上側半分が断面で示されている。  図７は図６の部品説明図で、図の上側半分が断面で示され、図８は図７の側面図である。
【００２９】
本実施例においては、中間体５１は、係止板３１が、測定管１の半径方向へ撓まない様に、測定管１の管軸方向の途中に少なくとも1個設けられ、リング状をなす。中間体５１の詳細図は、図７、図８に示す。
【００３０】
この結果、
係止板３１が測定管１の半径方向へ撓まない様に、測定管１の管軸方向の途中に、少なくとも１個リング状の固定板５１が設けられたので、切欠部３２が設けられたことによる、係止板３１の撓みの発生を、防止することが出来、より堅牢な電磁流量計が得られる。
これにより、ライニング内径の変化を抑えられるため、電磁流量計の測定誤差を防止できる。
【００３１】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００３２】
【発明の効果】
以上説明したように、本発明の請求項１によれば、次のような効果がある。
係止板は、管軸方向に設けられた切欠部を介してライニング体を係止するようにしたので、ライニング体を測定管から取り外す際、ライニング材と係止板の分別を容易に出来る。
従って、地球環境にやさしく、且つ安価な電磁流量計が得られる。
【００３３】
係止板として、リング状の支持部と、この支持部に一端が取付けられ測定管の管軸方向に配置された複数の棒状体とで構成されたので、作り易く、安価な電磁流量計が得られる。
【００３４】
これにより、ライニング体内径の変化を抑えられるため、測定誤差を防止できる電磁流量計が得られる。
【００３５】
本発明の請求項２によれば、次のような効果がある。
開口部分が半径方向にたわまないように設けられたリング状の固定体が設けられたので、切欠部が設けられたことによる、係止板の撓みの発生を、防止することが出来る電磁流量計が得られる。
【００３６】
本発明の請求項３によれば、次のような効果がある。
係止板が測定管の半径方向へ撓まない様に、測定管の管軸方向の途中に、少なくとも１個リング状の固定板が設けられたので、切欠部が設けられたことによる、係止板の撓みの発生を、防止することが出来、より堅牢な電磁流量計が得られる。
【００３７】
これにより、ライニング内径の変化を抑えられるため、電磁流量計の測定誤差を防止できる。
【００３８】
従って、本発明によれば、地球環境にやさしく、且つ安価な電磁流量計を実現することが出来る。
【図面の簡単な説明】
【図１】  本発明の一実施例の要部構成説明図である。
【図２】  図１の部品説明図である。
【図３】  図２の側面図である。
【図４】  図１の部品説明図である。
【図５】  図４の側面図である。
【図６】  本発明の他の実施例の要部構成説明図である。
【図７】  図６の部品説明図である。
【図８】  図７の側面図である。
【図９】  従来より一般に使用されている従来例の要部構成説明図である。
【図１０】  図９の部品説明図である。
【図１１】  図１０の側面図である。
【符号の説明】
２      フランジ
１      測定管
３１    係止板
３２    切欠部
３３    支持部
３４    棒状体
４１    固定体
５１    中間体
【図１】
0004000504.tif 000002
【図２】
0004000504.tif 000003
【図３】
0004000504.tif 000004
【図４】
0004000504.tif 000005
【図５】
0004000504.tif 000006
【図６】
0004000504.tif 000007
【図７】
0004000504.tif 000008
【図８】
0004000504.tif 000009
【図９】
0004000504.tif 000010
【図１０】
0004000504.tif 000011
【図１１】
0004000504.tif 000012